(57)【要約】【課題】手動弁の開／閉状態を確実に管理できる手動弁開閉管理システムを提供する。【解決手段】手動弁開閉管理システムであって、手動弁が開状態のときにのみ開鍵が抜き取り可能であり、開鍵が抜き取られると手動弁の操作を禁止して手動弁を開状態で保持し、手動弁が閉状態のときにのみ閉鍵が抜き取り可能であり、閉鍵が抜き取られると手動弁の操作を禁止して手動弁を閉状態で保持し、開鍵および閉鍵の双方が差し込まれているときにのみ手動弁の操作を許可するキーロック装置と、キーロック装置から抜き取られた開鍵または閉鍵から情報を読み取って開鍵および閉鍵を認識する鍵認識装置と、鍵認識装置での認識結果を送信する送信装置と、送信装置から送信された認識結果を受信する受信装置と、管理室に設けられ、受信装置で受信した認識結果に基づいて手動弁の開閉状態を通知する通知装置とを備えることを特徴とする。【選択図】図１
2013257203.tif 000002
【特許請求の範囲】
【請求項１】
プラントの配管設備に設けられた複数の手動弁の開／閉情報を管理室で管理する手動弁開閉管理システムであって、
前記手動弁が開状態のときにのみ開鍵が抜き取り可能であり、前記開鍵が抜き取られると前記手動弁の操作を禁止して前記手動弁を開状態で保持し、前記手動弁が閉状態のときにのみ閉鍵が抜き取り可能であり、前記閉鍵が抜き取られると前記手動弁の操作を禁止して前記手動弁を閉状態で保持し、前記開鍵および前記閉鍵の双方が差し込まれているときにのみ前記手動弁の操作を許可するキーロック装置と、
前記キーロック装置から抜き取られた開鍵または閉鍵から情報を読み取って開鍵および閉鍵を認識する鍵認識装置と、
前記鍵認識装置での認識結果を送信する送信装置と、
前記送信装置から送信された前記認識結果を受信する受信装置と、
前記管理室に設けられ、前記受信装置で受信した前記認識結果に基づいて前記手動弁の開閉状態を通知する通知装置とを備えることを特徴とする手動弁開閉管理システム。
【請求項２】
請求項１に記載の手動弁開閉管理システムにおいて、
前記開鍵は、開鍵であることを示す情報と前記手動弁に割り当てられた固有の識別子の情報とを含む開鍵情報を保持する開鍵情報保持部を有し、
前記閉鍵は、閉鍵であることを示す情報と前記手動弁に割り当てられた固有の識別子の情報とを含む閉鍵情報を保持する閉鍵情報保持部を有し、
前記開鍵情報保持部で保持された前記開鍵情報は、前記開鍵が前記キーロック装置から抜き取られた場合には前記鍵認識装置で読み取り可能であり、かつ、前記開鍵が前記キーロック装置に差し込まれた場合には前記鍵認識装置で読み取り不可能であり、
前記閉鍵情報保持部で保持された前記閉鍵情報は、前記閉鍵が前記キーロック装置から抜き取られた場合には前記鍵認識装置で読み取り可能であり、かつ、前記閉鍵が前記キーロック装置に差し込まれた場合には前記鍵認識装置で読み取り不可能であることを特徴とする手動弁開閉管理システム。
【請求項３】
請求項２に記載の手動弁開閉管理システムにおいて、
前記開鍵情報保持部および前記閉鍵情報保持部は、バーコードまたはＲＦＩＤであり、
前記認識装置は、バーコードリーダまたはＲＦＩＤリーダであることを特徴とする手動弁開閉管理システム。
【請求項４】
請求項２に記載の手動弁開閉管理システムにおいて、
前記開鍵情報保持部は、前記開鍵毎に異なる固有の形状を呈する開鍵固有形状部分であり、
前記閉鍵情報保持部は、前記閉鍵毎に異なる固有の形状を呈する閉鍵固有形状部分であり、
前記認識装置は、前記開鍵固有形状部分または前記閉鍵固有形状部分の形状を認識することによって、前記開鍵および前記閉鍵を認識することを特徴とする手動弁開閉管理システム。
【請求項５】
請求項２〜４のいずれか一項に記載の手動弁開閉管理システムにおいて、
前記鍵認識装置および前記送信装置は、前記配管設備において前記手動弁を操作する作業員が携帯する携帯型の装置であることを特徴とする手動弁開閉管理システム。
【請求項６】
請求項２〜４のいずれか一項に記載の手動弁開閉管理システムにおいて、
前記キーロック装置から抜き取られた前記開鍵および前記閉鍵を収納する鍵収納箱をさらに備え、
前記鍵収納箱は、前記手動弁毎に設けられる複数の鍵挿抜部を有し、
前記鍵挿抜部は、前記キーロック装置から抜き取られた前記開鍵および前記閉鍵が挿抜され、
前記鍵認識装置は、前記複数の鍵挿抜部毎に前記鍵挿抜部の内部に設けられ、
前記開鍵情報保持部は、前記開鍵のうち、前記鍵挿抜部の内部に挿抜される部分に設けられ、
前記閉鍵情報保持部は、前記閉鍵のうち、前記鍵挿抜部の内部に挿抜される部分に設けられていることを特徴とする手動弁開閉管理システム。
【請求項７】
請求項６に記載の手動弁開閉管理システムにおいて、
前記鍵挿抜部の各々は、対応する前記手動弁に設けられているキーロック装置に挿抜される前記開鍵および前記閉鍵の双方が挿抜可能な１つの鍵挿入口を有することを特徴とする手動弁開閉管理システム。
【請求項８】
請求項６に記載の手動弁開閉管理システムにおいて、
前記鍵挿抜部の各々は、対応する前記手動弁に設けられているキーロック装置に挿抜される前記開鍵のみが挿抜可能な開鍵挿入口と、対応する前記手動弁に設けられている前記キーロック装置に挿抜される前記閉鍵のみが挿抜可能な閉鍵挿入口とを有することを特徴とする手動弁開閉管理システム。
【請求項９】
プラントの配管設備に設けられた複数の手動弁の開／閉情報を管理室で管理する手動弁開閉管理システムであって、
前記手動弁が開状態のときにのみ開鍵が抜き取り可能であり、前記開鍵が抜き取られると前記手動弁の操作を禁止して前記手動弁を開状態で保持し、前記手動弁が閉状態のときにのみ閉鍵が抜き取り可能であり、前記閉鍵が抜き取られると前記手動弁の操作を禁止して前記手動弁を閉状態で保持し、前記開鍵および前記閉鍵の双方が差し込まれているときにのみ前記手動弁の操作を許可するキーロック装置と、
前記手動弁毎に設けられ、各手動弁について一対の開鍵挿抜部および閉鍵挿抜部を複数組有し、前記キーロック装置から抜き取られた前記開鍵および前記閉鍵を収納する鍵収納箱と、
前記複数組の開鍵挿抜部および閉鍵挿抜部のそれぞれに設けられ、前記開鍵および前記閉鍵が挿入されていることを認識する鍵認識装置と、
前記鍵認識装置での認識結果を送信する送信装置と、
前記送信装置から送信された前記認識結果を受信する受信装置と、
前記管理室に設けられ、前記受信装置で受信した前記認識結果に基づいて前記手動弁の開閉状態を通知する通知装置とを備え、
前記開鍵挿抜部は、対応する前記手動弁に設けられているキーロック装置から抜き取られた前記開鍵のみが挿抜可能であり、
前記閉鍵挿抜部は、対応する前記手動弁に設けられているキーロック装置から抜き取られた前記閉鍵のみが挿抜可能であることを特徴とする手動弁開閉管理システム。
【請求項１０】
請求項１〜９のいずれか一項に記載の手動弁開閉管理システムにおいて、
前記通知装置は、前記受信装置で受信した前記認識結果に基づいて、前記配管設備における前記手動弁を特定する情報、および、前記手動弁の開閉状態を示す情報を表示する表示装置であることを特徴とする手動弁開閉管理システム。
【請求項１１】
請求項１０に記載の手動弁開閉管理システムにおいて、
前記通知装置は、前記手動弁が配設された前記配管設備に関する配管計装線図を表示するとともに、前記受信装置で受信した前記認識結果に基づいて、前記配管計装線図における前記手動弁に対応する弁記号を前記手動弁の開状態と閉状態とで異なる表示形態で表示することを特徴とする手動弁開閉管理システム。
【発明の詳細な説明】
【技術分野】
【０００１】
本発明は、手動弁開閉管理システムに関する。
【背景技術】
【０００２】
従来、原子力プラントの定検時や運転時にて手動弁開閉作業を行う場合、作業員が弁ハンドルを操作した際の感覚、感触によって手動弁の開／閉を確認している。この時、手動弁が確実に開か閉であることを担保する仕組みと、現場外で手動弁の開／閉状態を確認する手段がないため、手動弁開閉作業後に安全対策として手動弁開閉確認作業が必要となる。しかし、たとえば原子力プラントの場合、１基の原子力プラントあたり数千から１万個以上もの弁を確認する必要があるため、多くの人手と時間がかかり経済的な負担が大きい。手動弁の開／閉状態を確実に担保し、現場外での確認を可能にすれば、手動弁開閉作業後の手動弁開閉確認作業が不要になるため作業工数の削減に寄与できる。このことから、中央制御室および保守コンソールにて手動弁の正確な開／閉情報を管理するシステムのニーズが高まっている。
【０００３】
たとえば、弁ハンドルを回して手動弁を開にすると引き抜ける開鍵と、手動弁を閉にすると引き抜ける閉鍵を利用して、弁ハンドルをロックできるロック装置が知られている。このロック装置を設置することにより、手動弁が確実に開か閉であることを担保している（特許文献１参照）。
【先行技術文献】
【特許文献】
【０００４】
【特許文献１】特開２００５−１８０５２９号公報
【発明の概要】
【発明が解決しようとする課題】
【０００５】
しかしながら、上述した特許文献に記載のロック装置では、手動弁の開／閉を物理的に保証しているだけで、開／閉情報を中央制御室および保守コンソールで管理する手段がない。また、従来は、作業員が紙ベースの管理台帳に手動弁の開／閉情報を記入して管理する方法を採用しているが、記入ミスや記入漏れなどがあり、情報が正しいことを保証することができない。すなわち、実際の操作結果と管理装置に反映される操作結果に差異が出てしまう場合がある。
【課題を解決するための手段】
【０００６】
（１）  請求項１の発明による手動弁開閉管理システムは、プラントの配管設備に設けられた複数の手動弁の開／閉情報を管理室で管理する手動弁開閉管理システムであって、手動弁が開状態のときにのみ開鍵が抜き取り可能であり、開鍵が抜き取られると手動弁の操作を禁止して手動弁を開状態で保持し、手動弁が閉状態のときにのみ閉鍵が抜き取り可能であり、閉鍵が抜き取られると手動弁の操作を禁止して手動弁を閉状態で保持し、開鍵および閉鍵の双方が差し込まれているときにのみ手動弁の操作を許可するキーロック装置と、キーロック装置から抜き取られた開鍵または閉鍵から情報を読み取って開鍵および閉鍵を認識する鍵認識装置と、鍵認識装置での認識結果を送信する送信装置と、送信装置から送信された認識結果を受信する受信装置と、管理室に設けられ、受信装置で受信した認識結果に基づいて手動弁の開閉状態を通知する通知装置とを備えることを特徴とする。
（２）  請求項９の発明による手動弁開閉管理システムは、プラントの配管設備に設けられた複数の手動弁の開／閉情報を管理室で管理する手動弁開閉管理システムであって、手動弁が開状態のときにのみ開鍵が抜き取り可能であり、開鍵が抜き取られると手動弁の操作を禁止して手動弁を開状態で保持し、手動弁が閉状態のときにのみ閉鍵が抜き取り可能であり、閉鍵が抜き取られると手動弁の操作を禁止して手動弁を閉状態で保持し、開鍵および閉鍵の双方が差し込まれているときにのみ手動弁の操作を許可するキーロック装置と、手動弁毎に設けられ、各手動弁について一対の開鍵挿抜部および閉鍵挿抜部を複数組有し、キーロック装置から抜き取られた開鍵および閉鍵を収納する鍵収納箱と、複数組の開鍵挿抜部および閉鍵挿抜部のそれぞれに設けられ、開鍵および閉鍵が挿入されていることを認識する鍵認識装置と、鍵認識装置での認識結果を送信する送信装置と、送信装置から送信された認識結果を受信する受信装置と、管理室に設けられ、受信装置で受信した認識結果に基づいて手動弁の開閉状態を通知する通知装置とを備え、開鍵挿抜部は、対応する手動弁に設けられているキーロック装置から抜き取られた開鍵のみが挿抜可能であり、閉鍵挿抜部は、対応する手動弁に設けられているキーロック装置から抜き取られた閉鍵のみが挿抜可能であることを特徴とする。
【発明の効果】
【０００７】
本発明によれば、手動弁の開／閉状態を確実に管理できる。
【図面の簡単な説明】
【０００８】
【図１】本発明の第１の実施形態に係る手動弁開閉管理システムにおける、手動弁の説明図である。
【図２】ＩＤタグを取付けた開鍵を模式的に示した図である。
【図３】手動弁開閉管理システムを示すブロック図である。
【図４】管理室のディスプレイに表示されるＰ＆ＩＤを示す説明図である。
【図５】第２の実施の形態の鍵収納箱を模式的に示した図である。
【図６】第２の実施の形態の手動弁開閉管理システムのブロック図である。
【図７】変形例を示す図である。
【図８】変形例を示す図である。
【図９】変形例を示す図である。
【発明を実施するための形態】
【０００９】
−−−第１の実施の形態−−−
図１〜４を参照して、本発明による手動弁開閉管理システムの第１の実施の形態を説明する。図１は、本発明による手動弁開閉管理システムが適用されるプラントの配管設備で用いられる手動弁について説明する図である。なお、本発明による手動弁開閉管理システムが適用されるプラントとしては、たとえば原子力プラントや化学プラント、火力発電プラントなどが挙げられるが、その他のプラントに本発明を適用してもよい。
【００１０】
配管２０の途中に設けられた手動弁１０は、弁ハンドル６０を回動操作することによって開閉される弁である。また、手動弁１０は、弁ハンドル６０を適宜操作して手動弁１０の開度を適宜設定することで配管２０を流れる流体の流量を制御できる。プラントの配管設備では、手動弁１０が複数配設されている。
【００１１】
各手動弁１０には、キーロック装置５０がそれぞれ取り付けられている。キーロック装置５０は、手動弁１０の弁ハンドル６０の回動操作を許可／禁止する装置であり、後述する開鍵３０Ａが挿抜される開鍵挿入部５１と、閉鍵３０Ｂが挿抜される閉鍵挿入部５２と、弁ハンドル６０を固定し、固定を解除する固定装置５３と、これらを収容する筐体５４とを備えている。キーロック装置５０は、開鍵挿入部５１に開鍵３０Ａが挿入され、かつ、閉鍵挿入部５２に閉鍵３０Ｂが挿入されているときに限り、固定装置５３による弁ハンドル６０の固定を解除する。このとき、弁開閉操作が可能となる。また、キーロック装置５０は、開鍵挿入部５１から開鍵３０Ａが抜き取られるか、または、閉鍵挿入部５２から閉鍵３０Ｂが抜き取られると、固定装置５３による弁ハンドル６０の固定を行う。このとき、弁開閉操作が禁止される。
【００１２】
開鍵挿入部５１は、手動弁１０の開度が全開であるときにのみ、挿入されている開鍵３０Ａを抜き取り可能としている。すなわち、手動弁１０が全開以外の開度であるときには、挿入されている開鍵３０Ａを抜き取ることができない。同様に、閉鍵挿入部５２は、手動弁１０の開度が全閉であるときにのみ、挿入されている閉鍵３０Ｂを抜き取り可能としている。すなわち、手動弁１０が全閉以外の開度であるときには、挿入されている閉鍵３０Ｂを抜き取ることができない。したがって、開鍵３０Ａが開鍵挿入部５１から抜き取られている場合には、手動弁１０は全開状態である。同様に、閉鍵３０Ｂが閉鍵挿入部５２から抜き取られている場合には、手動弁１０は全閉状態である。すなわち、作業員が弁ハンドル６０を回し、手動弁１０を全開にして開鍵３０Ａを引き抜くと、開鍵３０Ａを再び差し込むまでは弁ハンドル６０を回すことができない。これにより、手動弁１０が全開状態であることを保証できる。また、作業員が弁ハンドル６０を回し、手動弁１０を全閉にして閉鍵３０Ｂを引き抜くと、閉鍵３０Ｂを再び差し込むまでは弁ハンドル６０を回すことができない。これにより、手動弁１０が全閉状態であることを保証できる。
【００１３】
なお、任意の１つの手動弁１０に取り付けられたキーロック装置５０の開鍵３０Ａは、当該手動弁１０に取り付けられたキーロック装置５０の開鍵挿入部５１には挿抜可能であるが、当該手動弁１０とは異なる手動弁１０に取り付けられたキーロック装置５０の開鍵挿入部５１には挿入できない。また、開鍵３０Ａは、いずれの手動弁１０に取り付けられたキーロック装置５０の閉鍵挿入部５２にも挿入できない。同様に、任意の１つの手動弁１０に取り付けられたキーロック装置５０の閉鍵３０Ｂは、当該手動弁１０に取り付けられたキーロック装置５０の閉鍵挿入部５２にのみ挿抜可能であるが、当該手動弁１０とは異なる手動弁１０に取り付けられたキーロック装置５０の閉鍵挿入部５２には挿入できない。また、閉鍵３０Ｂは、いずれの手動弁１０に取り付けられたキーロック装置５０の開鍵挿入部５１にも挿入できない。すなわち、開鍵３０Ａおよび閉鍵３０Ｂは、特定の１つの手動弁１０に取り付けられたキーロック装置５０に紐づけられている。
【００１４】
図２は、開鍵３０Ａを模式的に示した図である。開鍵３０Ａは、鍵部３１と、つまみ部３２とを有する。鍵部３１は、開鍵３０Ａのうちキーロック装置５０の開鍵挿入部５１に挿抜される部分であり、後述するＩＤタグ４０が取り付けられている。つまみ部３２は、開鍵３０Ａをキーロック装置５０の開鍵挿入部５１に挿入した際にキーロック装置５０の外部に露出する部分である。同様に、閉鍵３０Ｂは、鍵部３１と、つまみ部３２とを有する。閉鍵３０Ｂの鍵部３１には、ＩＤタグ４０が取り付けられている。
【００１５】
ＩＤタグ４０には、開鍵３０Ａであるのか閉鍵３０Ｂであるのかを示す情報（開鍵閉鍵識別情報）として、たとえば識別番号が記録されている。また、ＩＤタグ４０には、鍵が用いられる手動弁１０を識別する情報（手動弁識別情報）として、たとえば手動弁１０毎に付された固有の手動弁番号が記録されている。ＩＤタグ４０には、たとえばバーコードやＲＦＩＤ（Radio Frequency Identification）等が用いられる。以下の説明では、ＩＤタグ４０はＲＦＩＤを用いたタグであるものとする。
【００１６】
図３は、本実施の形態の手動弁開閉管理システムのブロック図である。図４は、プラントの管理室に設けられたディスプレイに表示される手動弁１０の開閉状態の表示例を示す図である。ＩＤタグ４０に記録された開鍵閉鍵識別情報および手動弁識別情報は、作業員が携行する携帯式のＩＤタグリーダ８０で読み取り可能である。ＩＤタグリーダ８０には携帯端末９０が接続されている。携帯端末９０は、ＩＤタグリーダ８０が読み取ったＩＤタグ４０に記録された各情報を無線通信によって後述する管理装置１１０に送信する携帯型の通信装置である。手動弁１０の開閉作業に際し、作業員は図３において波線で囲ったＩＤタグリーダ８０と携帯端末９０とを携行する。
【００１７】
なお、管理装置１１０は、プラントの配管設備を制御、管理する装置であり、たとえば保守コンソールや中央制御操作室等の管理室１２０に設けられている。たとえば、管理装置１１０は、プラントの配管設備に設けられたバルブやポンプ、各種の装置等の制御を行うとともに、これらの機器の状態を後述するディスプレイ１４１に表示させる。
【００１８】
ＩＤタグリーダ８０が読み取ったＩＤタグ４０に記録された各情報は、無線通信によって携帯端末９０から管理装置１１０へと送信される。なお、ＩＤタグリーダ８０が読み取ったＩＤタグ４０に記録された各情報を、たとえば携帯電話網や衛星通信網などの公衆通信網を介して携帯端末９０から管理装置１１０へ送信するようにしてもよい。
【００１９】
管理装置１１０は、ＩＤタグ４０に記録された各情報を受信すると、受信した情報に含まれる手動弁識別情報からプラントンの配管設備における手動弁１０を特定し、受信した情報に含まれる開鍵閉鍵識別情報から、手動弁識別情報に基づいて特定した手動弁１０の開閉状態を判断する。そして管理装置１１０は、手動弁識別情報に基づいて特定した手動弁１０の開閉状態を、ディスプレイ１４１に表示させるＰ＆ＩＤ（Piping and Instrument Diagram）における手動弁１０の表示形態に反映させる。
【００２０】
具体的には、管理装置１１０は、たとえば図４に示すように、ディスプレイ１４１に表示されたＰ＆ＩＤ１４０における弁記号１４２のうち、手動弁識別情報に基づいて特定した手動弁１０に対応する弁記号１４２の表示形態を開閉状態に応じて変更する。たとえば、管理装置１１０は、開いている手動弁１０の弁記号１４２を白抜きで表示し、閉じている手動弁１０の弁記号１４２を塗りつぶして表示する。図４の例では、手動弁番号がＦ００２ＡおよびＦ００３Ａである手動弁１０の弁記号１４２が白抜きで表示され、手動弁番号がＦ００１ＡおよびＦ００４Ａである手動弁１０の弁記号１４２が塗りつぶして表示されている。したがって、ディスプレイ１４１を視認した管理室１２０の作業員（管理者１３０）は、手動弁番号がＦ００２ＡおよびＦ００３Ａである手動弁１０が開いており、手動弁番号がＦ００１ＡおよびＦ００４Ａである手動弁１０が閉じていると認識できる。
【００２１】
上述したようにＩＤタグ４０がＲＦＩＤであって、電波を利用して情報の送受信を行うことから、ＩＤタグ４０とＩＤタグリーダ８０との間に電波を遮るものがあると、ＩＤタグ４０に記録された各情報をＩＤタグリーダ８０で読み取れない。本実施の形態では、各鍵３０Ａ，３０Ｂについて、開鍵挿入部５１や閉鍵挿入部５２に挿入される鍵部３１にＩＤタグ４０を取り付けている。そして、キーロック装置５０の少なくとも筐体５４を金属製とすることで、各鍵３０Ａ，３０Ｂが開鍵挿入部５１や閉鍵挿入部５２に挿入された場合にはＩＤタグ４０に記録された情報をＩＤタグリーダ８０で読み取れないように構成している。
【００２２】
そのため、開鍵３０ＡのＩＤタグ４０に記録された情報は、開鍵３０Ａが開鍵挿入部５１から抜き取られないとＩＤタグリーダ８０で読み取れない。同様に、閉鍵３０ＢのＩＤタグ４０に記録された情報は、閉鍵３０Ｂが閉鍵挿入部５２から抜き取られないとＩＤタグリーダ８０で読み取れない。したがって、手動弁１０の開閉状態に対応した開鍵３０Ａまたは閉鍵３０ＢのＩＤタグ４０に記録された情報だけがＩＤタグリーダ８０で読み取り可能である。
【００２３】
また、上述したように、開鍵３０Ａが抜き取られて作業員の手元にある場合には、その開鍵３０Ａに紐づけられたキーロック装置５０が取り付けられている手動弁１０が全開である。同様に、閉鍵３０Ｂが抜き取られて作業員の手元にある場合には、その閉鍵３０Ｂに紐づけられたキーロック装置５０が取り付けられている手動弁１０が全閉である。したがって、抜き取られた開鍵３０Ａまたは閉鍵３０ＢのＩＤタグ４０に記録された情報に基づいて、手動弁１０の特定が可能であり、特定した当該手動弁１０の開閉状態を判断可能である。
【００２４】
上述した第１の実施の形態では、次の作用効果を奏する。
（１）  手動弁１０の開閉状態に対応した開鍵３０Ａまたは閉鍵３０Ｂのいずれか一方の鍵だけが抜き取り可能なキーロック装置５０を用い、開鍵３０Ａおよび閉鍵３０Ｂの鍵部３１に開鍵閉鍵識別情報および手動弁識別情報を記録したＩＤタグ４０を取り付けるように構成した。そして、キーロック装置５０から抜き取られた開鍵３０Ａまたは閉鍵３０ＢのＩＤタグから開鍵閉鍵識別情報および手動弁識別情報をＩＤタグリーダ８０で読み取るように構成した。これにより、手動弁１０の開閉状態についての正しい情報を容易に取得できるので、手動弁１０の開閉状態の確認作業が容易となる。
【００２５】
（２）  ＩＤタグリーダ８０で読み取った情報を携帯端末９０で管理装置１１０に送信するように構成した。これにより、手動弁１０の開閉状態に関する情報を管理装置１１０で扱うことができるので、配管設備全体の手動弁１０の状態を適宜参照可能となり、配管設備の保守・点検時や運転時における手動弁１０の開閉作業が効率的となる。
【００２６】
（３）  各鍵３０Ａ，３０Ｂが開鍵挿入部５１や閉鍵挿入部５２に挿入された場合にはＩＤタグ４０に記録された情報をＩＤタグリーダ８０で読み取れないように構成した。すなわち、開鍵挿入部５１や閉鍵挿入部５２から抜き取られ鍵部３１に取り付けられたＩＤタグ４０からＩＤタグリーダ８０で情報を読み取れるように構成した。これにより、各情報を読み込むべき鍵３０Ａ，３０Ｂとは異なる鍵３０Ａ，３０Ｂの情報を誤って読み込むおそれがないので、ＩＤタグリーダ８０で読み取った情報の信頼性を向上でき、本発明による手動弁開閉管理システムの信頼性を向上できる。
【００２７】
（４）  ＩＤタグリーダ８０と携帯端末９０とを携帯型の装置としたので、手動弁１０の開閉作業に際し、作業員がＩＤタグリーダ８０と携帯端末９０とを携行し易くなり、作業性が向上する。
【００２８】
（５）  管理室１２０に設けられたディスプレイ１４１に手動弁１０の開閉状態を表示するように構成した。これにより、手動弁１０の開閉状態の把握が容易となる。さらに、手動弁１０の開閉状態をディスプレイ１４１に表示させるＰ＆ＩＤにおける手動弁１０の表示形態に反映させるように構成した。これにより、配管設備における手動弁１０の役割等ともに開閉状態を把握できるので、配管設備の保守・点検時や運転時における手動弁１０の開閉作業に資する。
【００２９】
−−−第２の実施の形態−−−
図５，６を参照して、本発明による手動弁開閉管理システムの第２の実施の形態を説明する。以下の説明では、第１の実施の形態と同じ構成要素には同じ符号を付して相違点を主に説明する。特に説明しない点については、第１の実施の形態と同じである。本実施の形態では、主に、複数の鍵３０Ｃ，３０Ｄを収納できる鍵収納箱の内部で開鍵閉鍵識別情報および手動弁識別情報を読み取るように構成した点で、第１の実施の形態と異なる。
【００３０】
図５は、鍵収納箱を模式的に示した図である。扉１７０が設けられた鍵収納箱１６０は、鍵３０Ｃ，３０Ｄの収納箱であり、任意の手動弁１０のそれぞれに対応する複数の鍵挿抜部１５０が内部に設けられている。鍵収納箱１６０は、たとえば配管設備が設けられているプラントに配設されている。鍵挿抜部１５０には、対応する手動弁１０のキーロック装置５０から抜き取られた開鍵３０Ｃおよび閉鍵３０Ｄの双方が挿入される。なお、鍵挿抜部１５０には、対応する手動弁１０以外の手動弁１０のキーロック装置５０から抜き取られた開鍵３０Ｃおよび閉鍵３０Ｄを挿入できない。なお、本実施の形態では、鍵部３１にＩＤタグ４０が取り付けられていない。
【００３１】
具体的には、たとえば、鍵部３１の延在方向と直交する断面の形状と、鍵挿抜部１５０の鍵挿入口１５１の穴の形状とが一致するか否かによって、対応する手動弁１０のキーロック装置５０から抜き取られた開鍵３０Ｃおよび閉鍵３０Ｄのみが挿抜可能となるようにしている。また、鍵挿抜部１５０に鍵３０Ｃ，３０Ｄを挿抜する際の便を図るため、つまみ部３２および鍵挿抜部１５０には、対応する手動弁１０の手動弁番号３５が標記されている。
【００３２】
図６は、本実施の形態の手動弁開閉管理システムのブロック図である。鍵挿抜部１５０の内部には、挿入された鍵部３１の形状に基づいて、開鍵３０Ｃが挿入されたのか閉鍵３０Ｄが挿入されたのかを判断する鍵形状認識部１９０が設けられている。鍵形状認識部１９０は、たとえば小型のカメラによって鍵山等の形状を撮影し、撮影して得られた画像に基づいて開鍵３０Ｃが挿入されたのか閉鍵３０Ｄが挿入されたのかを判断するように構成された装置でもよい。また、鍵形状認識部１９０は、たとえば鍵山の形状の違いによる光の透過の有無によって開鍵３０Ｃが挿入されたのか閉鍵３０Ｄが挿入されたのかを判断するように構成された装置でもよい。
【００３３】
鍵挿抜部１５０の内部には、信号送出部１９５が設けられている。信号送出部１９５は、鍵形状認識部１９０から判断結果信号を入力すると、鍵挿抜部１５０にあらかじめ割り当てられている手動弁１０の情報を手動弁識別情報として通信装置２００に出力するとともに、鍵形状認識部１９０による判断結果に基づいて、挿入された鍵が開鍵３０Ｃであるのか閉鍵３０Ｄであるのかを示す情報を開鍵閉鍵識別情報として通信装置２００に出力する。
【００３４】
信号送出部１９５から手動弁識別情報および開鍵閉鍵識別情報を受信すると、通信装置２００は、有線通信または無線通信によって手動弁識別情報および開鍵閉鍵識別情報を管理装置１１０に送信する。なお、通信装置２００は、たとえば鍵収納箱１６０の近傍または鍵収納箱１６０の内部に配設されている。管理装置１１０における動作については、第１の実施の形態と同じであるので説明を省略する。
【００３５】
上述した第２の実施の形態では、第１の実施の形態の作用効果に加えて、次の作用効果を奏する。
（１）  手動弁から抜き取った鍵３０Ｃ，３０Ｄを保管のために鍵挿抜部１５０へ挿入することで、開鍵閉鍵識別情報および手動弁識別情報の読み取りが行われるので、各情報を別途読み取るための工程が不要となり、作業性が向上する。
（２）  手動弁から抜き取った鍵３０Ｃ，３０Ｄからのみ開鍵閉鍵識別情報および手動弁識別情報が読み取られるので、各情報を読み込むべき鍵３０Ｃ，３０Ｄとは異なる鍵３０Ｃ，３０Ｄの情報を誤って読み込むおそれがない。したがって、鍵形状認識部１９０で読み取った情報の信頼性が高く、本発明による手動弁開閉管理システムの信頼性を向上できる。
【００３６】
なお、鍵挿抜部１５０を次のように構成してもよい。たとえば、図７に示すように、任意の手動弁１０のそれぞれに対応する複数の鍵挿抜部１５０の内部にＩＤタグリーダ８１をそれぞれ設ける。そして、第１の実施の形態と同じ各鍵３０Ａ，３０Ｂを用い、鍵挿抜部１５０に挿入された各鍵３０Ａ，３０Ｂの鍵部３１に取り付けられているＩＤタグ４０からＩＤタグリーダ８１で情報を読み取るようにしてもよい。このように構成することで、たとえば、対応する手動弁１０とは異なる手動弁５０についての鍵３０Ａ，３０Ｂが鍵挿抜部１５０に挿入可能であったとしても、任意の手動弁１０の開閉状態と、ＩＤタグリーダ８１で読み取った手動弁識別情報および開鍵閉鍵識別情報との齟齬が生じない。そのため、鍵挿入口１５１の穴の形状を鍵部３１の延在方向と直交する断面の形状と完全に一致させる必要がなくなるので、鍵挿入口１５１の穴の形成コストを抑制できる。
【００３７】
また、鍵挿抜部１５０を次のように構成してもよい。たとえば、開鍵３０Ａおよび閉鍵３０Ｂの双方を挿抜可能な上述の鍵挿抜部１５０に代えて、図８に示すように、開鍵３０Ｃ専用の開鍵挿抜部１５０Ａと、閉鍵３０Ｄ専用の閉鍵挿抜部１５０Ｂとを設けるようにしてもよい。開鍵挿抜部１５０Ａには、対応する手動弁１０についての開鍵３０Ｃのみが挿入可能となるように、鍵部３１および鍵挿入口１５１Ａの形状が定められている。そして、閉鍵挿抜部１５０Ｂには、対応する手動弁１０についての閉鍵３０Ｄのみが挿入可能となるように、鍵部３１および鍵挿入口１５１Ｂの形状が定められている。
【００３８】
開鍵挿抜部１５０Ａおよび閉鍵挿抜部１５０Ｂには、鍵３０Ｃ，３０Ｄが挿入されたか否かを検出する鍵検出部８２と信号送出部１９５が設けられている。上述したように、開鍵挿抜部１５０Ａには、対応する手動弁１０についての開鍵３０Ｃのみが挿入可能であり、閉鍵挿抜部１５０Ｂには、対応する手動弁１０についての閉鍵３０Ｄのみが挿入可能であるので、鍵検出部８２は、挿入された鍵の有無のみを検出すればよい。
【００３９】
信号出力部１９５は、開鍵挿抜部１５０Ａの鍵検出部８２で開鍵３０Ｃが挿入されたことを検出すると、対応する手動弁１０についての手動弁識別情報と、開鍵３０Ｃであることを示す開鍵閉鍵識別情報とを通信装置２００に送信する。また、信号出力部１９５は、閉鍵挿抜部１５０Ｂの鍵検出部８２で閉鍵３０Ｄが挿入されたことを検出すると、対応する手動弁１０についての手動弁識別情報と、閉鍵３０Ｄであることを示す開鍵閉鍵識別情報とを通信装置２００に送信する。
【００４０】
このように構成することで、鍵形状認識部１９０のように、開鍵３０Ａが挿入されたのか閉鍵３０Ｂが挿入されたのかを判断する必要がなく、単に挿入された鍵の有無のみを検出すればよいので、鍵形状認識部１９０に比べて安価な鍵検出部８２を用いることができるので、コストを抑制できる。すなわち、鍵検出部８２には、近接センサのよう非接触センサや、接触式のセンサ等、安価なセンサを用いることができる。
【００４１】
なお、上述の説明では、鍵収納箱１６０および通信装置２００がプラントに配設されているが、鍵収納箱１６０および通信装置２００を可搬型の装置として構成し、作業員が持ち運びできるようにしてもよい。
【００４２】
また、上述の説明では、手動弁１０の開閉状態に関する情報をディスプレイ１４１上でＰ＆ＩＤ１４０とともに表示するように構成したが、本発明はこれに限定されない。たとえば、図９に示すように、Ｐ＆ＩＤ１４０に代えて、または、Ｐ＆ＩＤ１４０とともに、手動弁１０の開閉状態を示す表１４５をディスプレイ１４１に表示するようにしてもよい。なお、手動弁１０の開閉状態を示す表示形態は、上述したＰ＆ＩＤ１４０や表１４５に限らず、他の表示形態であってもよい。
なお、上述した各実施の形態および変形例は、それぞれ組み合わせてもよい。
【００４３】
なお、本発明は、上述した実施の形態のものに何ら限定されず、プラントの配管設備に設けられた複数の手動弁の開／閉情報を管理室で管理する手動弁開閉管理システムであって、手動弁が開状態のときにのみ開鍵が抜き取り可能であり、開鍵が抜き取られると手動弁の操作を禁止して手動弁を開状態で保持し、手動弁が閉状態のときにのみ閉鍵が抜き取り可能であり、閉鍵が抜き取られると手動弁の操作を禁止して手動弁を閉状態で保持し、開鍵および閉鍵の双方が差し込まれているときにのみ手動弁の操作を許可するキーロック装置と、キーロック装置から抜き取られた開鍵または閉鍵から情報を読み取って開鍵および閉鍵を認識する鍵認識装置と、鍵認識装置での認識結果を送信する送信装置と、送信装置から送信された認識結果を受信する受信装置と、管理室に設けられ、受信装置で受信した認識結果に基づいて手動弁の開閉状態を通知する通知装置とを備えることを特徴とする各種の手動弁開閉管理システムを含むものである。
また、本発明は、上述した実施の形態のものに何ら限定されず、プラントの配管設備に設けられた複数の手動弁の開／閉情報を管理室で管理する手動弁開閉管理システムであって、手動弁が開状態のときにのみ開鍵が抜き取り可能であり、開鍵が抜き取られると手動弁の操作を禁止して手動弁を開状態で保持し、手動弁が閉状態のときにのみ閉鍵が抜き取り可能であり、閉鍵が抜き取られると手動弁の操作を禁止して手動弁を閉状態で保持し、開鍵および閉鍵の双方が差し込まれているときにのみ手動弁の操作を許可するキーロック装置と、手動弁毎に設けられ、各手動弁について一対の開鍵挿抜部および閉鍵挿抜部を複数組有し、キーロック装置から抜き取られた開鍵および閉鍵を収納する鍵収納箱と、複数組の開鍵挿抜部および閉鍵挿抜部のそれぞれに設けられ、開鍵および閉鍵が挿入されていることを認識する鍵認識装置と、鍵認識装置での認識結果を送信する送信装置と、送信装置から送信された認識結果を受信する受信装置と、管理室に設けられ、受信装置で受信した認識結果に基づいて手動弁の開閉状態を通知する通知装置とを備え、開鍵挿抜部は、対応する手動弁に設けられているキーロック装置から抜き取られた開鍵のみが挿抜可能であり、閉鍵挿抜部は、対応する手動弁に設けられているキーロック装置から抜き取られた閉鍵のみが挿抜可能であることを特徴とする各種の手動弁開閉管理システムを含むものである。
【符号の説明】
【００４４】
１０  手動弁                              ２０  配管
３０Ａ，３０Ｃ  開鍵                      ３０Ｂ，３０Ｄ  閉鍵
３２  つまみ部                            ４０  ＩＤタグ
５０  キーロック装置                      ５１  開鍵挿入部
５２  閉鍵挿入部                          ６０  弁ハンドル
８０  ＩＤタグリーダ                      ８２  鍵検出部
９０  携帯端末                            １１０  管理装置
１２０  管理室                            １３０  管理者
１４０  Ｐ＆ＩＤ                          １４１  ディスプレイ
１４２  弁記号                            １５０  鍵挿抜部
１５０Ａ  開鍵挿抜部                      １５０Ｂ  閉鍵挿抜部
１５１，１５１Ａ，１５１Ｂ  鍵挿入口      １６０  鍵収納箱
１７０  扉                                １９０  鍵形状認識部
１９５  信号送出部                        ２００  通信装置
【図１】
2013257203.tif 000003
【図２】
2013257203.tif 000004
【図３】
2013257203.tif 000005
【図４】
2013257203.tif 000006
【図５】
2013257203.tif 000007
【図６】
2013257203.tif 000008
【図７】
2013257203.tif 000009
【図８】
2013257203.tif 000010
【図９】
2013257203.tif 000011